(57)【特許請求の範囲】
【請求項１】
原稿を載置するためのコンタクトガラスと、
前記コンタクトガラスを収容する筐体と、
前記筐体に収容され、予め定められた主走査方向において前記コンタクトガラスの幅を超えて並設された複数の光源を持つスキャナーユニットを有し、前記コンタクトガラスに載置された原稿を含んで前記主走査方向において前記複数の光源の配設位置に対向する部分の画像を読み取るスキャナー部と、
前記スキャナーユニットを前記主走査方向と直交する副走査方向に移動させる駆動部と、
前記コンタクトガラスに対して開閉自在であり、閉状態で前記コンタクトガラスに載置された原稿を当該コンタクトガラスに押しつける原稿押さえ板と、
前記原稿押さえ板の開閉状態を検知する開閉検知部と、
前記副走査方向に、前記スキャナーユニットによる前記コンタクトガラスにおける原稿読取領域より外側であって、原稿読取開始位置に隣接する第１ポジションにあるときに読み取り可能な位置に配置され、前記主走査方向には、前記複数の光源が並ぶ幅と同等以上の主走査方向長さを有する第１白色基準板と、
前記原稿読取領域内であって前記コンタクトガラスに載置された原稿のサイズを検出する際に前記スキャナーユニットが位置する前記副走査方向における第２ポジションに当該スキャナーユニットがあるときに読み取り可能な位置であって、前記主走査方向において前記コンタクトガラスに載置された原稿の読み取りを妨げない位置に配置された第２白色基準板と、
前記スキャナー部が前記第１白色基準板を読み取って取得した出力値を用いて当該スキャナー部の光学調整を行う光学調整部と、
前記光学調整部による光学調整時に前記スキャナーユニットが前記第１ポジションにある状態で前記スキャナー部に前記第１白色基準板を読み取らせ、当該光学調整又は読取時に前記開閉検知部により前記原稿押さえ板の開閉が検知されたときには、前記スキャナーユニットを前記第１ポジションから前記第２ポジションに移動させる制御を行って、前記原稿のサイズの検出を行う制御部とを備え、
前記光学調整部は、前記スキャナーユニットが前記第１ポジションに位置しているときは当該状態で前記スキャナー部が読み取った前記第１白色基準板の読取画像を用いて光学調整を行い、前記スキャナーユニットが前記第２ポジションに移動した後は当該状態で前記スキャナー部が読み取った前記第２白色基準板の読取画像を用いて光学調整を行い、
更に、前記スキャナー部が前記第１白色基準板を読み取って取得した直近の出力値を記憶する記憶部と、
前記スキャナー部が前記第２白色基準板を読み取った後、当該読み取って取得した出力値と前記記憶部が記憶する出力値を用いて、前記原稿読取領域における出力値を補完する出力値補完部とを備え、
前記光学調整部は、前記第２白色基準板を読み取って取得した出力値を用いて光学調整をする場合、前記出力値補完部が前記原稿読取領域の出力値を補完した後に、前記光学調整を行う画像読取装置。
【請求項２】
前記第２白色基準板は、前記筐体上面の裏側であって前記第２ポジションにおいて前記主走査方向に前記コンタクトガラスより外側となる当該主走査方向における両端部の何れか一方又は両方に配置される請求項１に記載の画像読取装置。
【請求項３】
請求項１又は請求項２に記載の画像読取装置と、
前記画像読取装置が読み取った画像を用紙に印刷する画像形成部と、
を備えた画像形成装置。
【発明の詳細な説明】
【技術分野】
【０００１】
本発明は、原稿の画像を読み取る画像読取装置及び画像形成装置に関する。
【背景技術】
【０００２】
画像読取装置では、コンタクトガラスに原稿が置かれ、原稿押さえ板が閉じられたタイミングで原稿サイズ検出部が原稿のサイズ検出を行う。また、画像読取装置の電源投入時やスリープ状態からの復帰時には、画像を読み取る準備として撮像素子のゲイン調整やオフセット調整によるシェーディング補正が行われる。特許文献１には、ゲイン調整中やオフセット調整中に原稿がセットされて原稿押さえ板が閉じられた時、実行中だったゲイン調整やオフセット調整を中止し、原稿のサイズ検出を行う方法について記載されている。
【先行技術文献】
【特許文献】
【０００３】
【特許文献１】特開２０１３−１１８５７９号公報
【発明の概要】
【発明が解決しようとする課題】
【０００４】
しかし、特許文献１に記載の技術の場合、ゲイン調整やオフセット調整の実行中に何度も原稿押さえ板の開閉が行われると、毎回原稿のサイズ検出を実施して、その後にゲイン調整とオフセット調整によるシェーディング補正を行うため、画像読取装置の準備が完了するまでに時間がかかり、利便性が低下する。
【０００５】
本発明は、上記の問題を解決するためになされたもので、例えばゲイン調整やオフセット調整によるシェーディング補正といった光学調整処理の実行中に原稿押さえ板が閉じられても、光学調整処理を中止せずに原稿サイズを検出可能とすることを目的とする。
【課題を解決するための手段】
【０００６】
本発明の一局面に係る画像読取装置は、原稿を載置するためのコンタクトガラスと、
前記コンタクトガラスを収容する筐体と、
前記筐体に収容され、予め定められた主走査方向において前記コンタクトガラスの幅を超えて並設された複数の光源を持つスキャナーユニットを有し、前記コンタクトガラスに載置された原稿を含んで前記主走査方向において前記複数の光源の配設位置に対向する部分の画像を読み取るスキャナー部と、
前記スキャナーユニットを前記主走査方向と直交する副走査方向に移動させる駆動部と、
前記コンタクトガラスに対して開閉自在であり、閉状態で前記コンタクトガラスに載置された原稿を当該コンタクトガラスに押しつける原稿押さえ板と、
前記原稿押さえ板の開閉状態を検知する開閉検知部と、
前記副走査方向に、前記スキャナーユニットによる前記コンタクトガラスにおける原稿読取領域より外側であって、原稿読取開始位置に隣接する第１ポジションにあるときに読み取り可能な位置に配置され、前記主走査方向には、前記複数の光源が並ぶ幅と同等以上の主走査方向長さを有する第１白色基準板と、
前記原稿読取領域内であって前記コンタクトガラスに載置された原稿のサイズを検出する際に前記スキャナーユニットが位置する前記副走査方向における第２ポジションに当該スキャナーユニットがあるときに読み取り可能な位置であって、前記主走査方向において前記コンタクトガラスに載置された原稿の読み取りを妨げない位置に配置された第２白色基準板と、
前記スキャナー部が前記第１白色基準板を読み取って取得した出力値を用いて当該スキャナー部の光学調整を行う光学調整部と、
前記光学調整部による光学調整時に前記スキャナーユニットが前記第１ポジションにある状態で前記スキャナー部に前記第１白色基準板を読み取らせ、当該光学調整又は読取時に前記開閉検知部により前記原稿押さえ板の開閉が検知されたときには、前記スキャナーユニットを前記第１ポジションから前記第２ポジションに移動させる制御を行って、前記原稿サイズの検出を行う制御部とを備え、
前記光学調整部は、前記スキャナーユニットが前記第１ポジションに位置しているときは当該状態で前記スキャナー部が読み取った前記第１白色基準板の読取画像を用いて光学調整を行い、前記スキャナーユニットが前記第２ポジションに移動した後は当該状態で前記スキャナー部が読み取った前記第２白色基準板の読取画像を用いて光学調整を行う。
【発明の効果】
【０００７】
開閉検知部が原稿押さえ板の開閉を検知すると、駆動部はスキャナーユニットを第１ポジションから第２ポジションに移動させて原稿サイズを検出しなければならない。従来は第１ポジションにのみ白色基準板が配置されていたため、スキャナーユニットが第１ポジションでのみ可能なゲイン調整やオフセット調整等の光学調整処理は中止せざるを得なかった。しかし、本発明によれば、第１ポジションにある第１白色基準板だけでなく、第２ポジションにおいて読み取り可能な位置に第２白色基準板が設けられているので、光学調整処理中に開閉検知部が原稿押さえ部の開閉を検知し、駆動部がスキャナー部を第１ポジションから第２ポジションへ移動させても、スキャナー部は白色基準板の画像を読み取って光学調整を行うことが可能である。このため、光学調整部は、光学調整処理を中止する必要がなく、スキャン開始のための準備動作にかかる時間が延びることが防止され、ユーザーの利便性を向上させることができる。
【図面の簡単な説明】
【０００８】
【図１】本発明の一実施形態に係る画像読取装置を備えた画像形成装置の構造を示す正面断面図である。
【図２】画像読取装置の概略断面図である。
【図３】画像読取部を上方から見た時の概略図である。
【図４】他の例に係る画像読取部を上方から見た時の概略図である。
【図５】画像読取部を含む画像形成装置の電気的構成を示したブロック図である。
【図６】ゲイン調整時に取得した出力値のグラフの一例を示した図である。
【図７】光学調整処理の流れを示したフローチャートである。
【発明を実施するための形態】
【０００９】
以下、本発明の実施形態に係る画像読取装置及び画像形成装置について、図面に基づき詳細に説明する。尚、本実施の形態では、説明を簡単にするために、画像読取装置を例に挙げて説明する。そして、本発明における画像形成装置は、以下で説明する画像読取装置に、電子写真方式やインクジェット方式等の画像形成装置を組み合わせたものである。
【００１０】
図１は、本発明の一実施形態に係る画像読取装置を備えた画像形成装置の構造を示す正面断面図である。本発明の一実施形態に係る画像形成装置１は、例えば、コピー機能、プリンター機能、スキャナー機能、及びファクシミリ機能のような複数の機能を兼ね備えた複合機である。画像形成装置１は、装置本体１１に、操作部４７、画像形成部１２、定着部１３、給紙部１４、原稿搬送部６、及び画像読取部５等を備えて構成されている。
【００１１】
操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。
【００１２】
画像形成装置１が原稿読取動作を行う場合、原稿搬送部６により給送されてくる原稿、又はコンタクトガラス１６１に載置された原稿の画像を画像読取部５が光学的に読み取り、画像データを生成する。画像読取部５により生成された画像データは内蔵ＨＤＤ又はネットワーク接続されたコンピューター等に保存される。
【００１３】
画像形成装置１が画像形成動作を行う場合は、上記原稿読取動作により生成された画像データ、又はネットワーク接続されたコンピューターから受信した画像データ、又は内蔵ＨＤＤに記憶されている画像データ等に基づいて、画像形成部１２が、給紙部１４から給紙される記録媒体としての記録紙Ｐにトナー像を形成する。カラー印刷を行う場合、画像形成部１２のマゼンタ用の画像形成ユニット１２Ｍ、シアン用の画像形成ユニット１２Ｃ、イエロー用の画像形成ユニット１２Ｙ、及びブラック用の画像形成ユニット１２Ｂｋは、それぞれに、上記画像データを構成するそれぞれの色成分からなる画像に基づいて、帯電、露光、及び現像の工程により感光体ドラム１２１上にトナー像を形成し、当該トナー像を一次転写ローラー１２６により中間転写ベルト１２５上に転写させる。
【００１４】
中間転写ベルト１２５上に転写される上記各色のトナー画像は、転写タイミングを調整して中間転写ベルト１２５上で重ね合わされ、カラーのトナー像となる。二次転写ローラー２１０は、中間転写ベルト１２５の表面に形成された当該カラーのトナー像を、中間転写ベルト１２５を挟んで駆動ローラー１２５ａとのニップ部Ｎにおいて、給紙部１４から搬送路１９０を搬送されてきた記録紙Ｐに転写させる。この後、定着部１３が、記録紙Ｐ上のトナー像を、熱圧着により記録紙Ｐに定着させる。定着処理の完了したカラー画像形成済みの記録紙Ｐは、排出トレイ１５１に排出される。
【００１５】
給紙部１４は、複数の給紙カセットを備える。図示しない制御部は、操作者による指示で指定されたサイズの記録紙が収容された給紙カセットのピックアップローラー１４５を回転駆動させて、各給紙カセットに収容されている記録紙Ｐを上記ニップ部Ｎに向けて搬送させる。
【００１６】
なお、画像形成装置１において、両面印刷を行う場合は、画像形成部１２より一方の面に画像が形成された記録紙Ｐを、排出ローラー対１５９にニップされた状態とした後、当該記録紙Ｐを排出ローラー対１５９によりスイッチバックさせて反転搬送路１９５に送り、搬送ローラー対１９により、上記ニップ部Ｎ及び定着部１３に対して記録紙Ｐの搬送方向上流域に再度搬送する。これにより、画像形成部１２により当該記録紙の他方の面に画像が形成される。
【００１７】
上記構成の画像形成装置１は、画像形成部１２の各回転部材や搬送ローラー対１９等のさまざまな部材に回転駆動力を付与するために、本発明の一実施形態に係る駆動装置を備えている。
【００１８】
図２は、画像読取部５の全体構成を示す概略断面図である。尚、本実施形態では、画像読取部５は、原稿搬送部６（ＡＤＦ：Auto Document Feeder）を備えたものを例にして説明するが、画像読取部５は原稿搬送部６を備えないものであってもよい。
【００１９】
画像読取部５は、上面に設けられた原稿を載置するためのコンタクトガラス１６１、スキャナー部２、原稿読取スリット５３及び白色基準板９１を有する。スキャナー部２は、スキャナーユニット２０を備える。スキャナーユニット２０は、コンタクトガラス１６１に載置された原稿に光を照射する光源部２６と、原稿からの反射光を第２ミラー２２に反射する第１ミラー２１とを有する。スキャナー部２は、当該スキャナーユニット２０と、ＣＣＤ（Charge Coupled Device）やＣＭＯＳ（Complementary Metal Oxide Semiconductor）等のイメージセンサーで構成された撮像素子２５と、スキャナーユニット２０からの反射光を撮像素子２５へ導く第２ミラー２２、第３ミラー２３及びレンズ系２４のミラー群とを備える。
【００２０】
光源部２６は、スキャナーユニット２０の主走査方向（図２では紙面奥行方向）に複数の光源（ＬＥＤ）が並設されて構成されている。光源部２６は、当該光源は、当該主走査方向においてコンタクトガラス１６１の幅を超えて並設されている。当該光源の配設と、当該光源の配列に対応して設けられている後述の撮像素子２５とにより、スキャナーユニット２０は、コンタクトガラス１６１に載置された原稿の画像を読み取ると共に、当該主走査方向において複数の光源の配設位置に対向する部分の画像を読み取る。
【００２１】
原稿搬送部６は、給紙ローラー及び搬送ローラーの駆動により、原稿載置部６１に載置された原稿束Ｓを１枚ずつ繰り出して原稿読取スリット５３に対向する位置へ搬送し、原稿読取スリット５３を介して画像読取部５による読取を可能とした後、原稿排出部６６へと排出する。また原稿搬送部６は、画像読取部５の上面にあるコンタクトガラス１６１に対して開閉自在であり、原稿搬送部６が閉状態にあるときに画像読取部５の上面と対向する面には原稿押さえ板１６２を有する。原稿押さえ板１６２は、コンタクトガラス１６１に載置された原稿を押さえるためのものであり、一般的に原稿を押さえる側の面は白色となっている。
【００２２】
まず、ユーザーが原稿搬送部６を開状態とし、原稿をコンタクトガラス１６１上に載置し、原稿搬送部６を閉状態とすることで原稿がコンタクトガラス１６１に押し付けられた状態となる。そして後述する開閉検知部８１が原稿搬送部６の開閉を検知することで、後述する制御部１００は原稿がコンタクトガラス１６１上に載置されたことを認識する。
【００２３】
この後、制御部１００の制御に従って光源部２６が発光し、この光源部２６の光がコンタクトガラス１６１を透過して原稿に照射される。その結果、原稿の反射光がコンタクトガラス１６１を通して第１ミラー２１に入射する。この入射光は、第２ミラー２２、第３ミラー２３及びレンズ系２４を通過した後、撮像素子２５へ入射する。
【００２４】
撮像素子２５は、制御部１００の制御に従って動作し、入射光を電気信号へ変換する。撮像素子２５は、主走査方向に上述した光源の配列に対応して配列しており、主走査方向の１ライン分の出力値を得る。尚、撮像素子２５は、上記複数の光源が並設されてなるライン複数分の画像データを同時に取得可能なように、複数列が配置されていてもよい。
【００２５】
更に、光源部２６と第１ミラー２１で構成されたスキャナーユニット２０は、後述する駆動部７によって副走査方向（矢印Ｙ方向）に一定速度で移動する。こうすることで、画像読取部５は原稿の主走査方向１ライン分の出力値を副走査方向に連続して取得し、結果として原稿全体の画像を読み取ることができる。
【００２６】
図３は、画像読取部５を上方から見た時の概略図である。開閉検知部８１は、原稿搬送部６の開閉状態を検知する。原稿サイズ検出部８２は、複数の検出部（センサー）で構成されており、各原稿サイズ検出部８２に対向するコンタクトガラス１６１上の領域の反射の有無を検知して、検知結果を制御部１００へ出力する。
【００２７】
白色基準板９１は、ゲイン調整やシェーディング補正を実施する際に用いる予め定められた色調の板であり、白色が用いられる。白色基準板９１は、長辺が主走査方向に延びる長方形（第１白色基準板）とされる。この第１白色基準板部分をなす長方形部分は、副走査方向において、スキャナーユニット２０によるコンタクトガラス１６における原稿読取領域より外側に配置されている。本実施形態では、第１白色基準板部分をなす長方形部分は、その長辺の長さがスキャナー部２の主走査方向の読み取り範囲に相当する長さ以上とされている。すなわち、第１白色基準板部分をなす長方形部分は、光源部２６を構成する上記複数の光源が主走査方向に並ぶ幅と同等以上の主走査方向長さを有する。
【００２８】
さらに、白色基準板９１は、第１白色基準板部分をなす長方形部分の両端部（主走査方向においてコンタクトガラス１６１よりも外側の領域）に、副走査方向に延びる基準板（第２白色基準板）が合体した形になっている。このため、白色基準板９１は、画像読取部５の上面から見て、副走査方向下流側（紙面に向かって右側）に開口部を持つコの字型の形をしている。白色基準板９１の副走査方向の長さは、後述する光学調整位置から原稿サイズ検出位置までの範囲に相当する長さ（矢印Ｗの範囲）となっている。すなわち、副走査方向に延びる基準板（第２白色基準板）は、副走査方向において、第１白色基準板部分をなす長方形部分の端部から原稿サイズ検出位置までに及ぶ。
【００２９】
尚、この白色基準板９１は、画像読取部５の上面から視認することはできず、画像読取部５を構成する筐体内部に配置されている。つまり、白色基準板９１は、画像読取部５の上面の裏側面に貼り付けられて固定されている。
【００３０】
光学調整位置（第１ポジション）とは、画像読取部５の光学調整処理（ゲイン調整、オフセット調整及びシェーディング補正サンプリング）が行われる際にスキャナーユニット２０が配置される位置のことであり、スキャナーユニット２０の原稿読取開始位置に隣接する。この光学調整位置（副走査方向において、スキャナーユニット２０によるコンタクトガラス１６１における原稿読取領域より外側の位置）に、白色基準板９１の第１白色基準板部分をなす長方形部分が配置される。光学調整処理が行われる際、駆動部７はスキャナーユニット２０を光学調整位置に移動させ、光源部２６が点灯することで、スキャナー部２は白色基準板９１（第１白色基準板部分をなす長方形部分）の表面を読み取る。そしてこの読み取り結果に基づいて、後述する光学調整部１０１が光学調整処理を行う。
【００３１】
スキャナーユニット２０の画像読取により撮像素子２５から出力される値は周囲環境や装置性能の経時変化等に応じて異なるため、主走査方向に並ぶ各素子からの出力にはばらつきが生じる。このばらつきは、例えば、白一色や黒一色の対象物を読み取った場合に主走査方向における色むらとなる。このため、シェーディング補正が行われる。シェーディング補正は、ゲイン調整及びオフセット調整により撮像素子２５の出力を適正レンジに調整し、素子毎の出力バラツキを補正する処理である。
【００３２】
このシェーディング補正では、撮像素子２５により白色基準板９１を読み取って現状の撮像素子２５からの素子毎の出力を取得して、白データのサンプリングを行う。そして、主走査方向における撮像素子２５全体でほぼ一様な白データが得られるように、撮像素子２５の画像信号出力に対する増幅率を適正化するゲイン調整が行われる。更に、主走査方向における撮像素子２５全体でほぼ一様な黒データが得られるように、撮像素子２５の画像信号出力に対する増幅率を適正化するオフセット調整が行われる。これにより、撮像素子２５から出力される値は主走査方向においてその出力にばらつきをなくすことができ、例えば、白画像（又は黒画像）の読み取りを実行したときに、撮像素子２５からの出力が一様な白データ（黒画像読取時は黒データ）として取得される。
【００３３】
光学調整処理は、画像読取部５の電源投入直後、スリープ状態からの復帰直後等に行われる。そして、光学調整処理の最中に開閉検知部８１が原稿搬送部６の開閉を検知すると、駆動部７はスキャナーユニット２０を光学調整位置より副走査方向下流側であって原稿読取開始位置の近傍にある原稿サイズ検出位置に移動させる。
【００３４】
原稿サイズ検出位置（第２ポジション）は、コンタクトガラス１６１の下、つまり副走査方向において原稿読み取り領域内に位置する。画像読取部５が原稿サイズ検出位置に位置することで、コンタクトガラス１６１上に原稿が載置されたか否かを判別することができる。
【００３５】
コンタクトガラス１６１上に原稿がセットされる際、原稿搬送部６はユーザーによって上方へ移動させられて開かれ、開閉検知部８１が開状態を検知する。その状態で原稿がセットされた場合は、スキャナーユニット２０のうち、原稿読取領域に原稿が存在していない位置にある撮像素子２５部分からは黒データが出力される。
【００３６】
その後、原稿搬送部６が閉じられると、開閉検知部８１が閉状態を検知する。このとき、原稿押さえ部１６２は白色であることから、原稿読取領域において原稿が載置されていない領域に位置するスキャナーユニット２０の撮像素子２５部分からは白データが出力される。従って、原稿搬送部６が開状態から閉状態となったときに、出力が黒データから白データに変化した素子位置には原稿がないことになる。
【００３７】
また、原稿サイズ検出部８２は、コンタクトガラス１６１上に原稿が載置されている領域に設置されたセンサーからは用紙有を示す信号が出力され、コンタクトガラス１６１上に原稿が載置されていない領域に設置されたセンサーからは用紙無を示す信号が出力される。制御部１００は、スキャナー部２と各原稿サイズ検出部８２の検知結果に基づいて、原稿サイズを割り出す。このような原稿サイズ検出に必要な、スキャナーユニット２０の撮像素子２５からの上記白データ及び黒データ、原稿サイズ検出部８２からの用紙有無を示す信号を得るには、原稿搬送部６が開いた状態から閉じた状態に変化する、又は開いた状態から閉じた状態に変化することを要する。このため、画像読取部５では、原稿搬送部６がこのような状態変化を生じた場合には、原稿サイズ検出が実行されるように設定されている。
【００３８】
このため、原稿搬送部６が閉じられた状態でスキャナーユニット２０が上記光学調整位置（第１ポジション）において上記光学調整処理を行っている最中に、原稿搬送部６が開かれると、駆動部７は画像読取部５のスキャナーユニット２０を上記光学調整位置から原稿サイズ検出位置に移動させることなる。
【００３９】
なお、一般的な画像形成装置では、白色基準板は光学調整位置にのみ配置されていたために、制御部は上記光学調整処理を中止させていた。そして、原稿サイズ検出後に、再度光学調整処理が行われていた。従って、一般的な画像形成装置では、光学調整処理中に何度も原稿搬送部が開閉されると、毎回光学調整処理が中断され、原稿サイズの検出後に光学調整処理が行われるため、スキャナー部２のスキャン開始準備が完了するまでに時間がかかり、利便性が悪かった。
【００４０】
そこで、本発明の実施形態に係る画像読取部５では、その白色基準板９１は、例えば、光学調整位置に配置されている長方形状に加え、主走査方向において原稿読取領域より外側（つまりコンタクトガラス１６１の外側）において副走査方向に延びて光学調整位置（第１ポジション）と原稿サイズ検出位置（第２ポジション）の間の領域にも白色基準部材を配置することで、図３に示すような上方から見てコの字型の白色基準板９１とする。こうすることで、駆動部７がスキャナーユニット２０を光学調整位置から原稿サイズ検出位置に移動する間、又はスキャナーユニット２０を原稿サイズ検出位置に移動させた後であっても、スキャナーユニット２０の両端部の上部に白色基準板９１が存在するため、この両端部が取得した反射光を用いて光学調整処理を続行することができる。
【００４１】
なお、当該白色基準板９１の形状は単なる一例であり、この形状に限定するものではない。例えば、白色基準板９１は、光学調整位置から原稿サイズ検出位置に至るまでの領域の全てには存在せず、スキャナーユニット２０が原稿サイズ検出位置に移動したときに、スキャナーユニット２０の主走査方向における両端部又は一端部の上部となる位置に存在するものとしてもよい。
【００４２】
図４に他の例を示す。図４は当該他の例に係る画像読取部５を上方から見た時の概略図である。上記図３では、コの字型の白色基準板９１としたが、図４に示すように、白色基準板を、光学調整位置に配置された白色基準板９１ａ（第１白色基準板）と、副走査方向において原稿サイズ検出位置に配置され、かつ、当該原稿サイズ検出位置において主走査方向で原稿読取領域よりも外側に配置された白色基準板９１ｂ（第２白色基準板）の組み合わせとしてもよい。白色基準板９１ａは、その長辺の長さがスキャナー部２の主走査方向の読み取り範囲に相当する長さ以上とされている。この構成では、光学調整位置と原稿サイズ検出位置の間には白色基準板がない区間が存在する。このため、駆動部７がスキャナーユニット２０を原稿サイズ検出位置に移動させた後に、光学調整部１０１が光学調整処理を行う。
【００４３】
尚、本実施の形態では、原稿サイズ検出位置において、原稿読取領域より外側の主走査方向両端部に白色基準板が配置される形状又は構成としたが、少なくとも主走査方向両端部の何れか一方の端部に白色基準板が配置されていればよい。つまり、図３の場合、白色基準板９１はコの字型だが、Ｌ字型であってもよい。図４の場合は、２つの白色基準板９１ｂのうち何れか１つが配置されていればよい。
【００４４】
また、スキャナーユニット２０が光学調整位置に配置されて行なわれる光学調整処理を第１光学調整モード、スキャナーユニット２０が光学調整位置から原稿サイズ検出位置へ移動する途中、又は移動した後に行われる光学調整処理を第２光学調整モードという。
【００４５】
図５は、本実施の形態における画像読取部５を含む画像形成装置１の電気的構成を示したブロック図である。尚、上記で説明した構成要素と同じ要素については同じ符号を付し、説明を省略する。
【００４６】
駆動部７は、スキャナーユニット２０を副走査方向に移動させるものであり、モーター等で構成される。記憶部８は、第１光学調整モード時に画像読取部５が読み取った直近の画像を記憶する。画像処理部９は、画像読取部５が読み取った画像に対して、画像圧縮、画質調整、拡大・縮小等の画像処理を施す。
【００４７】
制御ユニット１０は、ＣＰＵ（Central Processing Unit：中央処理装置）等によって構成され、入力された指示信号等に応じて所定のプログラムに基づいた処理を実行し、各機能部への指示信号の出力、データ転送等を行って画像読取部５等を統括的に制御する。また本実施の形態では、制御ユニット１０は、制御部１００と、光学調整部１０１と出力値補完部１０２を備えている。
【００４８】
上述した画像形成部１２、定着部１３、及び搬送ローラー１９は、制御部１００によって制御される。特許請求の範囲における画像形成部は、例えば、画像形成部１２、定着部１３、及び搬送ローラー１９やその駆動モーター１７といった画像形成に必要な各機構を備えてなる。
【００４９】
制御部１００は、画像形成装置１の全体的な動作制御を司る。制御部１００は、光学調整部１０１による光学調整時に上記第１ポジションにおいてスキャナー部２に第１白色基準板を読み取らせ、当該光学調整又は読取時に開閉検知部８１により原稿搬送部６（原稿押さえ板１６２）の開閉が検知されたときには、スキャナー部２を上記第１ポジションから上記第２ポジションに移動させる制御を行って、原稿サイズの検出を行う。
【００５０】
光学調整部１０１は、ゲイン調整、オフセット調整及びシェーディング補正サンプリングといったシェーディング補正等の光学調整処理を行う。この光学調整処理とは、画像読取部５の光学系の調整処理である。
【００５１】
出力値補完部１０２について説明する。光学調整部１０１が第２光学調整モードで光学調整を行う場合、スキャナー部２は原稿読取領域より外側にある白色基準板９１の画像、つまり領域Ｗの幅の画像しか取得しない。しかし、光学調整処理は主走査方向における原稿読取領域全域に渡って行われることが望ましい。そこで、出力値補完部１０２は、白色基準板９１の領域Ｗから取得した出力値と、記憶部８に記憶された直近の第１光学調整モード時における主走査方向に亘る出力値を用いて、主走査方向における原稿読取領域の出力値を補完する。
【００５２】
なお、特許請求の範囲における画像読取装置は、実施形態における画像読取部５と、原稿搬送部６と、光学調整部１０１と、出力値補完部１０２と、駆動部７と、記憶部８と、開閉検知部８１と、画像処理部９とを備えてなる。但し、当該画像読取装置は、少なくともコンタクトガラス１６１と、画像読取部５と、駆動部７と、原稿押さえ板１６２と、開閉検知部８１と、第１白色基準板としての白色基準板９１ａと、第２白色基準板としての白色基準板９１ｂと、光学調整部１０１とを備えていればよい。
【００５３】
補完方法について説明する。図６は、ゲイン調整時に取得した出力値のグラフの一例を示した図である。縦軸は撮像素子２５を構成する各素子の出力値、横軸は撮像素子２５の各素子の位置を示している。そしてグラフＧ１は第１光学調整モード時に取得した出力値、グラフＧ２は第２光学調整モード時に取得した出力値である。
【００５４】
光学調整処理は画像読取部５の稼働中に頻繁に行われるため、直近の出力値と大きく変化することは少ない。出力値補完部１０２は、第２光学調整モード時に読み取った出力値（Ｇ２）と記憶部８が記憶する第１光学調整モード時に取得した直近の出力値（Ｇ１）とを比較し、領域Ｗにおける出力値の変化量を算出する。そしてその変化量を第１光学調整モード時に取得した直近の出力値の中の原稿読取領域の出力値に当てはめて、現在の出力値とする。
【００５５】
具体的に説明すると、記憶部８が記憶する直近の出力値に対する第２光学調整モード時に取得した出力値の変化量がＳである場合、出力値補完部１０２はグラフＧ１の原稿読取領域における出力値に対して変化量Ｓを減算した値を、現在の原稿読取領域の出力値（Ｇ３）として補完する。出力値補完部１０２は、シェーディング補正時も同様にして出力値の補完を行う。このように原稿読取領域の出力値が補完された後に、光学調整部１０１はゲイン係数及びシェーディング補正係数を求める。尚、オフセット調整は光源部２６を消灯して行う処理であるため、この補完処理は必要ない。
【００５６】
図７は、本実施の形態における光学調整処理の流れを示したフローチャートである。尚、本実施の形態においては、ゲイン調整、オフセット調整及びシェーディング補正の流れの順で説明するが、シェーディング補正は独立して行われる場合もあり、この場合、光学調整処理はゲイン調整及びオフセット調整のみであってもよい。
【００５７】
画像読取部５の電源投入直後、又はスリープ状態からの復帰時に光学調整部１０１はシェーディング補正（光学調整処理）を行う。まず光学調整部１０１は駆動部７に対してスキャナーユニット２０を光学調整位置に移動させ（ステップＳ１１）、画像読取部５に対して、シェーディング補正サンプリングのためにスキャナーユニット２０に、光源部２６を点灯させて白色基準板９１の読取を行わせ、更に光源部２６を消灯させて読取動作を行わせ、これにより得た白データ及び黒データと白基準値及び黒基準値との比較により、ゲイン調整及びオフセット調整を行うというシェーディング補正（光学調整処理）を開始する（ステップＳ１２）。このシェーディング補正の最中に開閉検知部８１が原稿搬送部６の開閉を検知すると（ステップＳ１３；ＹＥＳ）、光学調整部１０１は駆動部７に対してスキャナーユニット２０を原稿サイズ検出位置へ移動させる（ステップＳ１５）。このとき、原稿サイズ検出位置への移動後、光学調整部１０１は、スキャナーユニット２０にシェーディング補正サンプリングを行わせ、ゲイン調整、及びオフセット調整を続行する（ステップＳ１６）。白色基準板９１が上述したコの字状をなす場合は、光学調整部１０１は、原稿サイズ検出位置への移動中であっても、スキャナーユニット２０にシェーディング補正サンプリングを行わせ、ゲイン調整、及びオフセット調整を続行する。なお、この際に行われるシェーディング補正サンプリングのためにスキャナー部２が取得する白色基準板９１の読取画像である白データについては、上述したように、出力値補完部１０２が原稿読取領域の出力値を補完することが好ましい。
【００５８】
その後、スキャナー部２と原稿サイズ検出部８２の検出結果を用いて制御部１００が原稿サイズの検出を行う（ステップＳ１７）。このとき、必要であれば、光学調整部１０１は、シェーディング補正を並行して実行する。この原稿サイズ検出及びシェーディング補正後、制御部１００は駆動部７に対してスキャナーユニット２０を原稿読取開始位置（ホームポジション）に移動させる（ステップＳ１８）。原稿読取開始位置は、例えば図３及び図４に示すように、副走査方向において光学調整位置と原稿サイズ検出位置の間の位置に設定されている。
【００５９】
一方、シェーディング補正中に開閉検知部８１が原稿搬送部６の開閉を検知せず（ステップＳ１３；ＮＯ）、シェーディング補正が終了した場合は（ステップＳ１４；ＹＥＳ）、光学調整処理を終了する。
【００６０】
以上、説明したように、白色基準板９１を光学調整位置のみでなく、原稿サイズ検出位置においてもスキャナー部２が読取可能な位置に配置することで、コンタクトガラス１６１に原稿を載置又は差し替えのために光学調整処理中に原稿搬送部６が開閉されて開閉検知部８１により当該開閉が検知され、これに基づいて、スキャナーユニット２０が原稿サイズ検出位置まで移動して原稿サイズ検出が開始される場合であっても、当該原稿サイズ検出位置への移動後も、上記光学調整処理を引き続き行うことを可能としている。また、白色基準板９１を原稿読取領域よりも外側であって光学調整位置から原稿サイズ検出位置までの間の領域にも配置した場合には、スキャナーユニット２０が原稿サイズ検出位置に向けて移動している間であっても、シェーディング補正サンプリングを行うことが可能である。
【００６１】
これにより、原稿サイズ検出の為の動作と、シェーディング補正のような光学調整処理を同時に行うことも可能であるため、光学調整部は、光学調整処理を中止する必要がなく原稿サイズ検出と並行して行うことも可能になり、スキャン開始のための準備動作にかかる時間が延びることが防止され、ユーザーの利便性を向上させることができる。
【００６２】
更に、第２光学調整モードで光学調整処理が行われた場合、出力値補完部１０２が原稿読取領域の出力値を補完することで、第２光学調整モードでは、主走査方向における一部領域でしか白色基準板９１の読取画像（白データ）を得られなくても、第１光学調整モードで得られる白色基準板９１の読取画像に品質を近付けた読取画像を用いて光学調整を行うことが可能である。
【符号の説明】
【００６３】
１      画像読取装置
２      スキャナー部
５      画像読取部
６      原稿搬送部
７      駆動部
８      記憶部
９      画像処理部
２０    スキャナーユニット
８１    開閉検知部
８２    原稿サイズ検出部
９１    白色基準板
１００  制御部
１０１  光学調整部
１０２  出力値補完部
１６１  コンタクトガラス
【図１】
0006047528.tif 000002
【図２】
0006047528.tif 000003
【図３】
0006047528.tif 000004
【図４】
0006047528.tif 000005
【図５】
0006047528.tif 000006
【図６】
0006047528.tif 000007
【図７】
0006047528.tif 000008